(57)【要約】【課題】  識別番号を付すのが難しいそれ自体で形を有さない物を、工作物又は建築物に使用される構成要素として、その構成要素の製造時／取得時及び施工時の情報と共に、工作物又は建築物を管理するシステム及び方法を提供すること。【解決手段】  本発明は、製造時又は取得時の構成要素に係る第一属性情報と構成要素が工作物又は建築物に使用された時の構成要素に係る第二属性情報を有するデータベースを備え、構成要素の識別番号を基に前記データベースを検索し、識別番号に関連する工作物又は建築物の情報と共に第一属性情報及び第二属性情報を、及び／又は、工作物又は建築物の情報を基にデータベースを検索し、工作物又は建築物に関連する識別番号の全部又は一部と共に全部又は一部に対応する第一属性情報及び第二属性情報を検索し、出力する施工履歴情報管理システム。【選択図】  図３
2011258072.tif 000002
【特許請求の範囲】
【請求項１】
記憶装置と、演算処理装置と、入出力装置とを備え、
工作物又は建築物に使用され、識別番号を備える構成要素の施工履歴情報を、前記工作物又は建築物の情報と共に管理する施工履歴情報管理システムであって、
前記記憶装置は、
製造時又は取得時の前記構成要素に係る第一属性情報と、
前記構成要素が前記工作物又は建築物に使用された時の前記構成要素に係る第二属性情報と、
前記工作物又は建築物に係る第三属性情報と、
を有するデータベースを有し、
前記入出力装置は、
前記構成要素の一又は複数の前記識別番号と共に前記第一属性情報を受け付ける第一属性情報受付部と、
前記一又は複数の識別番号の前記構成要素が使用された前記工作物又は建築物に関連付けて前記第二属性情報を受け付ける第二属性情報受付部と、
前記一又は複数の識別番号又は前記工作物又は建築物の情報を受け付ける検索情報受付部と、
前記演算処理装置が行う検索の結果を表示する出力表示部と、
を有し、
前記演算処理装置は、
前記第一属性情報受付部が受け付けた前記第一属性情報をデータベースに格納する第一属性情報格納部と、
前記第二属性情報受付部が受け付けた前記第二属性情報をデータベースに格納する第二属性情報格納部と、
前記検索情報受付部において受け付けられた前記識別番号を基に前記データベースを検索し、前記識別番号に関連する前記工作物又は建築物の情報と共に第一属性情報及び第二属性情報を、及び／又は、前記検索情報受付部において受け付けられた前記工作物又は建築物の情報を基に前記データベースを検索し、前記工作物又は建築物に関連する前記識別番号の全部又は一部と共に前記全部又は一部に対応する第一属性情報及び第二属性情報を、前記入出力装置に出力する検索出力部、を有し、
前記出力表示部は、前記検索出力部からの検索結果をすること
を特徴とする施工履歴情報管理システム。
【請求項２】
前記構成要素の一又は複数の前記識別番号は、前記構成要素に関連付けられた一又は複数のＩＣタグに記録された識別番号であることを特徴とする請求項１記載の施工履歴情報管理システム。
【請求項３】
前記構成要素は、それ自体では形を有さない流動物、粒状物、粉状物、又はこれらの混合物であり、前記ＩＣタグは、強化樹脂ＩＣタグであることを特徴とする請求項２記載の施工履歴情報管理システム。
【請求項４】
前記構成要素は、生コンクリートであり、前記生コンクリートに含まれる前記識別番号は、前記強化樹脂ＩＣタグに記録された識別番号であり、
前記第一属性情報は、前記識別番号、出荷伝票番号、出荷日時、セメント細骨材、粗骨材及び混和剤情報を含む材料特性の情報を含み、
前記第二属性情報は、前記出荷伝票、前記工作物又は建築物、現場到着日時、打設開始時刻、打設完了時刻、工種、施工位置、工事境界座標の情報を含む、
ことを特徴とする請求項３記載の施工履歴情報管理システム。
【請求項５】
さらに、前記第一属性情報は、品質管理方法、製造方法、養生方法、天候、外気温、内気温、材料温度、製造責任者、製造年月日、製造時間、運搬車両番号、運転者の情報を含み、
前記第二属性情報は、現場天候、現場外気温、現場内気温、打設温度、出来型、図面、施工方法、管理方法、協議事項、指示事項、社内検査、段階確認、立会いの情報を含む、
ことを特徴とする請求項４記載の施工履歴情報管理システム。
【請求項６】
前記構成要素は、アスファルト混合物であり、前記アスファルト混合物に含まれる前記識別番号は、前記強化樹脂ＩＣタグに記録された識別番号であり、
前記第一属性情報は、前記識別番号、出荷伝票番号、出荷日時、種別、配合の情報を含み、
前記第二属性情報は、前記出荷伝票、前記工作物又は建築物、現場到着日時、打設開始時刻、打設完了時刻、工種、施工位置、工事境界座標、舗設延長、舗設幅の情報を含む、
ことを特徴とする請求項３記載の施工履歴情報管理システム。
【請求項７】
さらに、前記第一属性情報は、品質管理方法、製造方法、締め固め度、天候、外気温、材料温度、製造責任者、製造年月日、製造時間、運搬車両番号、運転者の情報を含み、
前記第二属性情報は、現場天候、現場外気温、敷き均し温度、現場密度、図面、施工方法、管理方法、協議事項、指示事項、社内検査、段階確認、立会いの情報を含む、
ことを特徴とする請求項６記載の施工履歴情報管理システム。
【請求項８】
前記構成要素は、土砂又は砂利であり、前記土砂又は砂利に含まれる前記識別番号は、前記強化樹脂ＩＣタグに記録された識別番号であり、
前記第一属性情報は、前記識別番号、出荷伝票番号、出荷日時、産地、規格の情報を含み、
前記第二属性情報は、前記出荷伝票、前記工作物又は建築物、現場到着日時、施工年月日、施工位置、工事境界座標、施工延長、施工幅の情報を含む、
ことを特徴とする請求項３記載の施工履歴情報管理システム。
【請求項９】
さらに、前記第一属性情報は、品質管理方法、表乾比重、絶乾比重、吸水率、単位体積質量、最大乾燥密度、最適含水比、運搬車両番号、運転者の情報を含み、
前記第二属性情報は、石材使用量、最大乾燥密度、現場密度、含水比、天候、図面の情報を含む、
ことを特徴とする請求項８記載の施工履歴情報管理システム。
【請求項１０】
識別番号を含み、工作物又は建築物に使用される構成要素の施工履歴情報を、前記工作物又は建築物の情報と共に管理する施工履歴情報管理方法であって、
前記構成要素の一又は複数の前記識別番号と共に、前記識別番号を含む前記構成要素の製造時又は取得時の第一属性情報を受け付ける第一属性情報受付工程と、
前記第一属性情報受付工程が受け付けた前記第一属性情報をデータベースに格納する第一属性情報格納工程と、
前記一又は複数の識別番号の前記構成要素が使用された前記工作物又は建築物に関連付けて、前記構成要素が前記工作物又は建築物に使用された時の第二属性情報を受け付ける第二属性情報受付工程と、
前記第二属性情報受付工程が受け付けた前記第二属性情報をデータベースに格納する第二属性情報格納工程と、
前記識別番号又は前記工作物又は建築物の情報を受け付ける検索情報受付工程と、
前記検索情報受付工程において受け付けられた前記識別番号を基に前記データベースを検索し、前記識別番号に関連する前記工作物又は建築物の情報と共に第一属性情報及び第二属性情報を、及び／又は、前記検索情報受付部において受け付けられた前記工作物又は建築物の情報を基に前記データベースを検索し、前記工作物又は建築物に関連する前記識別番号の全部又は一部と共に前記工作物又は建築物に関連する前記識別番号の全部又は一部に対応する第一属性情報及び第二属性情報を、出力する検索出力工程と、
前記検索出力工程において出力された検索結果を表示する出力表示工程を、
含む、施工履歴情報管理方法。
【請求項１１】
請求項９に記載の方法を実行させるためのプログラム。
【請求項１２】
請求項１０に記載のプログラムを記録したコンピュータ読み取り可能な記録媒体。
【発明の詳細な説明】
【技術分野】
【０００１】
本発明は、工作物又は建築物についての施工履歴情報管理システム並びに方法、プログラム及び記録媒体に関する。
【背景技術】
【０００２】
従来から、工作物又は建築物を構成する資材や建築部材に識別番号を付して、その工作物又は建築物を管理するシステムが考えられている。
例えば、特許文献１では、光ファイバ網を形成するハンドホールに設置されたクロージャには、光ファイバケーブルが配線され、この光ファイバケーブルの両端に、光ファイバケーブルの管理情報を格納したＩＣタグが設置され、このＩＣタグの管理情報は、ＩＣタグリーダライタを介して作業者が携帯する携帯端末によって読出しおよび書込みされるように構成され、携帯端末は、事務所の設備管理から、光ファイバの接続・分岐作業指示をダウンロードし、このダウンロードした光ファイバの接続・分岐作業指示を、ＩＣタグの管理情報によって確認した上で、実際の作業を行うようにしたシステムが開示されている。
【０００３】
また、特許文献２では、記憶装置と、演算処理装置と、入力装置と、出力装置とを備えている。記憶装置は、建物に用いられる建築部材及び設備機器の保守情報が登録される保守情報データベースと、個々の建物の仕様情報、設計情報及び居住者情報を含む物件情報が登録される物件情報データベースとを有し、演算処理装置は、保守情報データベースに登録された保守情報から物件情報データベースに登録された個々の建物に用いられた建築部材及び設備機器に対応する情報を抽出し個々の建物の保守計画を作成する保守計画管理部と、物件情報に基づいて個々の建物のリフォーム計画を作成するリフォーム計画管理部と、保守計画又はリフォーム計画を出力装置に出力する出力部とを有しているシステムが開示されている。
【先行技術文献】
【特許文献】
【０００４】
【特許文献１】特開２００７−１６３９６２号公報
【特許文献２】特開２００３−５８６１５号公報
【発明の概要】
【発明が解決しようとする課題】
【０００５】
特許文献１のシステムにおいては、工作物又は建築物を構成する管理の対象物は、光ファイバ、配線配管、道路設備や樹木といった、道路に配置された形を有する物であり、その対象物を道路に設置する際の施工の方法や状況に応じて、その道路自体の品質が大きく影響を受けるものではない。
【０００６】
また、特許文献２のシステムにおいても、工作物又は建築物を構成する管理の対象物は、建物に用いられる建築部材や設備機器といった形を有する物であり、その対象物を建物に設置する際の施工の方法や状況に応じて、その建物自体の品質が大きく影響を受けるものではない。
【０００７】
これらはいずれにおいても、光ファイバや建築部材といった、これらの物を製造した時の品質とこれらの物を工作物又は建築物に設置する時の品質とは大きな差があるものではなく、また、これらの物を工作物又は建築物に設置する際の施工条件などによって、工作物又は建築物自体の品質が大きくばらつくことは稀であることから、そもそもこれらのシステムは、工作物又は建築物を建設した後に、工作物又は建築物を構成する物の保守を行う目的に考えられたものである。
【０００８】
しかし、工作物又は建築物に使用される構成要素、例えば、生コンクリート（生コン）、アスファルト混合物（アス混）や砂利・土砂・砂といった物は、そもそもそれ自体に形がなく識別番号を付すのが難しく、また、これらの物は、輸送条件によって製造時の品質と施工時の品質が異なったり、施工時の条件により施工後の工作物又は建築物の品質が大きく異なることがある。
【０００９】
本発明は、上記問題に鑑みてなされたものであり、識別番号を付すのが難しいそれ自体で形を有さない物を、工作物又は建築物に使用される構成要素として、その構成要素の製造時／取得時及び施工時の情報と共に、工作物又は建築物を管理するシステム及び方法を提供することにある。
【課題を解決するための手段】
【００１０】
上記課題を解決するために、本発明のある観点によれば、記憶装置と、演算処理装置と、入出力装置とを備え、工作物又は建築物に使用され、識別番号を備える構成要素の施工履歴情報を、前記工作物又は建築物の情報と共に管理する施工履歴情報管理システムであって、前記記憶装置は、製造時又は取得時の前記構成要素に係る第一属性情報と、前記構成要素が前記工作物又は建築物に使用された時の前記構成要素に係る第二属性情報と、前記工作物又は建築物に係る第三属性情報と、を有するデータベースを有し、前記入出力装置は、前記構成要素の一又は複数の前記識別番号と共に前記第一属性情報を受け付ける第一属性情報受付部と、前記一又は複数の識別番号の前記構成要素が使用された前記工作物又は建築物に関連付けて前記第二属性情報を受け付ける第二属性情報受付部と、前記一又は複数の識別番号又は前記工作物又は建築物の情報を受け付ける検索情報受付部と、前記演算処理装置が行う検索の結果を表示する出力表示部と、を有し、前記演算処理装置は、前記第一属性情報受付部が受け付けた前記第一属性情報をデータベースに格納する第一属性情報格納部と、前記第二属性情報受付部が受け付けた前記第二属性情報をデータベースに格納する第二属性情報格納部と、前記検索情報受付部において受け付けられた前記識別番号を基に前記データベースを検索し、前記識別番号に関連する前記工作物又は建築物の情報と共に第一属性情報及び第二属性情報を、及び／又は、前記検索情報受付部において受け付けられた前記工作物又は建築物の情報を基に前記データベースを検索し、前記工作物又は建築物に関連する前記識別番号の全部又は一部と共に前記全部又は一部に対応する第一属性情報及び第二属性情報を、前記入出力装置に出力する検索出力部、を有し、前記出力表示部は、前記検索出力部からの検索結果をすることを特徴とする施工履歴情報管理システムが提供される。
この構成によれば、工作物又は建築物に使用される構成要素の製造時／取得時及び施工時の情報と共に、工作物又は建築物を管理するシステムを提供することが可能となる。
【００１１】
また、前記構成要素の一又は複数の前記識別番号は、前記構成要素に関連付けられた一又は複数のＩＣタグに記録された識別番号であることを特徴としてもよい。
この構成によれば、一の構成要素に、複数のＩＣタグの識別番号を関連付けることができるので、その結果、一のＩＣタグに保持できるデータ量は多くないが、この関連付けにより、一の構成要素に大きなデータ量を関連付けることが可能になる。
【００１２】
また、前記構成要素は、それ自体では形を有さない流動物、粒状物、粉状物、又はこれらの混合物であり、前記ＩＣタグは、強化樹脂ＩＣタグであることを特徴としてもよい。
この構成によれば、識別番号を付すのが難しいそれ自体で形を有さない物を、工作物又は建築物に使用される構成要素として、その構成要素の製造時／取得時及び施工時の情報と共に、工作物又は建築物を管理するシステムを提供することが可能となる。
【００１３】
また、前記構成要素は、生コンクリートであり、前記生コンクリートに含まれる前記識別番号は、強化樹脂ＩＣタグに記録された識別番号であり、前記第一属性情報は、前記識別番号、出荷伝票番号、出荷日時、セメント細骨材、粗骨材及び混和剤情報を含む材料特性の情報を含み、前記第二属性情報は、前記出荷伝票、前記工作物又は建築物、現場到着日時、打設開始時刻、打設完了時刻、工種、施工位置、工事境界座標の情報を含むことを特徴としてもよい。
この構成によれば、識別番号を付すのが難しい生コンクリートを、工作物又は建築物に使用される構成要素として、その構成要素の製造時／取得時及び施工時の情報と共に、工作物又は建築物を管理するシステムを提供することが可能となる。
【００１４】
また、前記構成要素は、アスファルト混合物であり、前記アスファルト混合物に含まれる前記識別番号は、強化樹脂ＩＣタグに記録された識別番号であり、前記第一属性情報は、前記識別番号、出荷伝票番号、出荷日時、種別、配合の情報を含み、前記第二属性情報は、前記出荷伝票、前記工作物又は建築物、現場到着日時、打設開始時刻、打設完了時刻、工種、施工位置、工事境界座標、舗設延長、舗設幅の情報を含むことを特徴としてもよい。
この構成によれば、識別番号を付すのが難しいアスファルト混合物を、工作物又は建築物に使用される構成要素として、その構成要素の製造時／取得時及び施工時の情報と共に、工作物又は建築物を管理するシステムを提供することが可能となる。
【００１５】
また、本発明のある観点によれば、識別番号を含み、工作物又は建築物に使用される構成要素の施工履歴情報を、前記工作物又は建築物の情報と共に管理する施工履歴情報管理方法であって、前記構成要素の一又は複数の前記識別番号と共に、前記識別番号を含む前記構成要素の製造時又は取得時の第一属性情報を受け付ける第一属性情報受付工程と、前記第一属性情報受付工程が受け付けた前記第一属性情報をデータベースに格納する第一属性情報格納工程と、前記一又は複数の識別番号の前記構成要素が使用された前記工作物又は建築物に関連付けて、前記構成要素が前記工作物又は建築物に使用された時の第二属性情報を受け付ける第二属性情報受付工程と、前記第二属性情報受付工程が受け付けた前記第二属性情報をデータベースに格納する第二属性情報格納工程と、前記識別番号又は前記工作物又は建築物の情報を受け付ける検索情報受付工程と、前記検索情報受付工程において受け付けられた前記識別番号を基に前記データベースを検索し、前記識別番号に関連する前記工作物又は建築物の情報と共に第一属性情報及び第二属性情報を、及び／又は、前記検索情報受付部において受け付けられた前記工作物又は建築物の情報を基に前記データベースを検索し、前記工作物又は建築物に関連する前記識別番号の全部又は一部と共に前記工作物又は建築物に関連する前記識別番号の全部又は一部に対応する第一属性情報及び第二属性情報を、出力する検索出力工程と、前記検索出力工程において出力された検索結果を表示する出力表示工程を、含む、施工履歴情報管理方法が提供される。
この構成によれば、工作物又は建築物に使用される構成要素の製造時／取得時及び施工時の情報と共に、工作物又は建築物を管理する方法を提供することが可能となる。
【発明の効果】
【００１６】
以上説明したように、本発明によれば、工作物又は建築物に使用される構成要素の製造時／取得時及び施工時の情報と共に、工作物又は建築物を管理するシステム及び方法を提供することができ、工作物又は建築物の原材料から完成までの施工履歴や品質管理を行えるようになる。
【図面の簡単な説明】
【００１７】
【図１】第１実施形態におけるシステム概要図。
【図２】第１実施形態におけるＩＣタグが有する情報のリスト。
【図３】第１実施形態におけるシステムブロック図。
【図４Ａ】第１実施形態における受付画面（その一）。
【図４Ｂ】第１実施形態における受付画面（その二）。
【図４Ｃ】第１実施形態における受付画面（その三）。
【図５】第１実施形態における第一属性情報（生コンの例）。
【図６】第２実施形態における方法のフローチャート図。
【発明を実施するための形態】
【００１８】
＜第１実施形態＞
以下では、図面を参照し、本発明の各実施形態に係るシステム等について説明する。
図１は、第１実施形態におけるシステムの概要を説明するための図である。
プラント等とは、生コンクリート（生コン）やアスファルト混合物（アス混）を製造するプラント、土砂・砂利・砂を採取する土取場などである。以下では、生コンを中心に述べ、生コンと異なる点がある場合は、アス混、土砂等について別々に述べる。
【００１９】
プラント等１９１は、生コンを製造する業者のサイトである。ここでは、工作物や建築物の工事の発注者から工事を依頼された施工業者からの発注にしたがい、その納期に生コンを出荷する。出荷に際し、生コン製造業者は、出荷する生コンの識別番号を決定し、その識別番号を付した出荷伝票１４０と共に生コンを運搬車両に引き渡す。生コンを引き受けた運搬車両は、その生コンを出荷伝票１４０と共に、施工現場へ運搬する。
【００２０】
なお、プラント等１９１の製造業者は、出荷に当たり、生コンの識別番号、出荷伝票番号、出荷日時、運搬車両番号、運転者などの出荷関連情報、セメント細骨材、粗骨材及び混和剤情報を含む材料特性などの生コン品質関連情報、品質管理方法、製造方法、養生方法、天候、外気温、内気温、材料温度、製造責任者、製造年月日、製造時間などの製造条件関連情報などの第一属性情報１１０を、インターネット２００上の本システムウェブサーバ２０１に入力する。
【００２１】
製造業者は、上記決定された識別番号を付した強化樹脂ＩＣタグ１５０を、通常出荷伝票１４０と共に、運搬車両の運転者などに渡す。また、出荷に際し、通常３個の生コンのサンプル１６０を採取するので、その中にその強化樹脂ＩＣタグ１５０を入れる。こうすることにより、この後この生コンに対する試験データを取得するため、内２つのサンプル１６０は破壊試験を行うが、サンプル１６０に人が識別番号を書き込んだり、ラベルを貼ったりする必要がなく、手間が省けまた管理しやすくなる。また、残りの１つのサンプル１６０は保存することになるが、その管理もしやすくなる。強化樹脂ＩＣタグ１５０のリーダライタにより、容易に読み取ることができるからである。
【００２２】
なお、強化樹脂ＩＣタグ１５０には、図２に示す情報が含まれている。図中のＩＣタグＮｏは、上記決定された識別番号である。製造業者は、このような情報を強化樹脂ＩＣタグ１５０に書き込んだ上で、出荷する。
【００２３】
また、一単位の生コン、例えば、運搬車両単位、出荷伝票単位、工区と日時の単位などで、一のＩＣタグに含めることのできない程の多くの情報と関連付ける場合は、複数のＩＣタグと一単位の生コンを関連付ける必要があるが、この場合は、この一単位である構成要素の一又は複数の識別番号と、この構成要素に関連付けられた一又は複数のＩＣタグの識別番号とを一致させることにより、可能となる。この結果、一のＩＣタグに保持できるデータ量は多くないが、この関連付けにより、一の構成要素に大きなデータ量を関連付けることが可能になる。
【００２４】
現場１９２は、プラント等１９１で製造された生コンを使用する施工現場である。生コンを積載した運搬車両が現場に到着した際、運転者は、施工業者に、生コンの識別番号が付された出荷伝票１４０と強化樹脂ＩＣタグ１５０を引き渡す。施工業者は、生コンを使用する際、コンクリート構造物である工作物又は建築物の仕上がり表面から浅い部分（例えば、１０センチメートル以内）に、所定の位置に（例えば、始点と終点の間を２０メートル間隔で）、その強化樹脂ＩＣタグ１５０を埋め込む。この強化樹脂ＩＣタグ１５０を、骨材の大きさや比重と大きな違いがないので、構造上影響を与えるものにはならない。強化樹脂ＩＣタグは、例えば、大日本印刷社製のACCUWAVE-HD-4220を用いる。
【００２５】
現場１９２の施工業者は、施工している工作物又は建築物に関連させて、引き渡された出荷伝票１４０を基に、出荷伝票、工作物又は建築物、現場到着日時、打設開始時刻、打設完了時刻などの受入関連情報、工種、施工位置、工事境界座標、現場天候、現場外気温、現場内気温、打設温度、出来型、図面、施工方法などの施工条件関連情報、管理方法、協議事項、指示事項、社内検査、段階確認、立会いの情報などの施工品質関連情報などの第二属性情報１２０を、インターネット２００上の本システムウェブサーバ２０１に入力する。
【００２６】
アス混の場合、施工時点においても、摂氏２００度程度の温度を有するので、なるべく被覆の厚い強化樹脂ＩＣタグ１５０を使用する。アス混を敷設後、アスファルトの厚さを検査のために穴を掘るが、その穴を埋め戻す際に、強化樹脂ＩＣタグ１５０をなるべく表面から浅い位置に埋め込む。その他は、生コンと同じである。
【００２７】
土砂等の場合、締め固めた土砂等の中に表土から浅い位置に強化樹脂ＩＣタグ１５０を埋め込む。通常、埋め込む位置に杭を設けて、目印とする。また、その杭にＩＣタグを設置してもよい。なお、この場合の、ＩＣタグは、必ずしも強化樹脂ＩＣタグである必要はなく、シール状のＩＣタグでもよい。
【００２８】
通常工事の発注者や施工業者である本システム利用者１９３は、インターネット２００上の本システムウェブサーバ２０１につなげて、製造業者と施工業者が入力した情報を統合的に参照することにより、工作物又は建築物に使用される構成要素の製造時／取得時及び施工時の情報を得ることができ、工作物又は建築物の原材料から完成までの施工履歴や品質管理を行えるようになる。
【００２９】
図３は、第１実施形態におけるシステムブロック図である。
本実施形態の施工履歴情報管理システム１の入出力装置１０内の第一属性情報受付部１１は、プラント等の製造業者９１に対して図４Ａ〜Ｃに示すような画面を表示し、プラント等の製造業者９１により入力される、第一属性情報３１に格納すべき属性情報を、生コンなどの原材料に付された識別番号と共に、受け付ける。演算処理装置２０内の第一属性情報格納部２１は、第一属性情報受付部１１がプラント等の製造業者９１から受け付けた情報を、第一属性情報３１として記憶装置３０に格納する。
【００３０】
また、入出力装置１０内の第二属性情報受付部１２は、現場の施工業者９２に対して図４Ａ〜Ｃに示すような画面を表示し、現場の施工業者９２により入力される、第二属性情報３２に格納すべき属性情報を受け付ける。第二属性情報格納部２２は、第二属性情報受付部１２が現場の施工業者９２から受け付けた情報を、第二属性情報３２として記憶装置３０に、その現場の工作物又は建築物に関連付けて、格納する。
【００３１】
データベース３０は、第一属性情報３１、第二属性情報３２、第三属性情報３３を含む。第一属性情報３１と第二属性情報３２とは、図５のように一つのデータベースのテーブルに収められていてもよい。なお、図５は、生コンの例である。また、第三属性情報３３は、現場１９２の施工業者が施工している工作物又は建築物に係る情報であり、例えば、工事番号、工事名称、所在地、工種・工法型式、工期、工事分野、工事内容などの情報である。第三属性情報３３の情報は、本システムによる入力画面等を用いて入力してもよいし、他のシステムから情報をオンライン／オフラインで持ってきてもよい。
【００３２】
入出力装置１０内の検索情報受付部１３は、システム利用者９３から、特定の生コンに紐付けられた識別番号を、その生コンがどこの現場の工作物又は建築物に使用されたか検索するために、受け付けることができる。また、検索情報受付部１３は、特定の工作物又は建築物の情報を受け付けてもよく、この場合は、この工作物又は建築物に使用された生コンの原材料のすべて又は一部を検索するために、受け付ける。
【００３３】
検索出力部２３は、検索情報受付部１３で受け付けた生コンの識別番号、又は工作物又は建築物の情報を、データベース３０内の第一属性情報３１、第二属性情報３２及び第三属性情報３３に対して検索し、該当した情報を出力する。出力表示部１４は、検索情報受付部１３が出力した情報を、システム利用者９３に対して、表示する。
【００３４】
データベース３０内を検索し該当した情報とは、検索情報受付部１３にて生コンの識別番号を受け付けた場合には、その生コンが使用された工作物又は建築物の情報（第三属性情報）と共にその原材料の第一属性情報及び第二属性情報である。また、検索情報受付部１３にて工作物又は建築物の情報を受け付けた場合には、その工作物又は建築物に使用された生コンの原材料の識別番号の全部又は一部と、それらの第一属性情報及び第二属性情報である。
【００３５】
従って、本実施形態においては、工作物又は建築物に使用される構成要素の製造時／取得時及び施工時の情報と共に、工作物又は建築物を管理するシステムを提供することができ、工作物又は建築物の原材料から完成までの施工履歴や品質管理を行えるようになる。
【００３６】
＜第２実施形態＞
図６は、本実施形態における方法のフローチャート図である。なお、フローチャートにおいて、「Ｓ」は各処理のステップを示すものとする。
まず、生コン等の製造業者から、生コン等の第一属性情報の入力を受け付ける（Ｓ１００）。第一属性情報は、他の実施形態と同じで良い。その受け付けた入力情報を、データベース内に第一属性情報として格納する（Ｓ１１０）。
【００３７】
次に、工作物又は建築物の現場の施工業者から、生コン等の第二属性情報の入力を受け付ける（Ｓ１２０）。第二属性情報は、他の実施形態と同じで良い。その受け付けた入力情報を、データベース内に第二属性情報として格納する（Ｓ１３０）。
【００３８】
次に、システム利用者から、特定の生コン等に紐付けられた識別番号を受け付ける（Ｓ１４０）。そうすると、その生コン等が使用された現場の工作物又は建築物を検索し（Ｓ１５０）、その結果を表示する（Ｓ１６０）。または、システム利用者から、特定の工作物又は建築物の情報を受け付けてもよく、この場合は、この工作物又は建築物に使用された生コン等の原材料を検索し、その結果の全部又は一部を表示する。システム利用者は、上記Ｓ１４０からＳ１６０を何度でも行うことができる。
【００３９】
従って、本実施形態においては、工作物又は建築物に使用される構成要素の製造時／取得時及び施工時の情報と共に、工作物又は建築物を管理する方法を提供することができ、工作物又は建築物の原材料から完成までの施工履歴や品質管理を行えるようになる。
【符号の説明】
【００４０】
１    施工履歴情報管理システム
１０    入出力装置
１１    第一属性情報受付部
１２    第二属性情報受付部
１３    検索情報受付部
１４    出力表示部
２０    演算処理装置
２１    第一属性情報格納部
２２    第二属性情報格納部
２３    検索出力部
３０    記憶装置
３１    第一属性情報
３２    第二属性情報
３３    第三属性情報
９１    プラント等の製造業者
９２    現場の施工業者
９３    システム利用者
１１０  第一属性情報
１２０  第二属性情報
１３０  第三属性情報
１４０  伝票
１５０  強化樹脂ＩＣタグ
１６０  サンプル
１９１  プラント等
１９２  現場
１９３  システム利用者
２００  インターネット
２０１  本システムのウェブサーバ
【図２】
2011258072.tif 000003
【図５】
2011258072.tif 000004
【図６】
2011258072.tif 000005
【図１】
2011258072.tif 000006
【図３】
2011258072.tif 000007
【図４Ａ】
2011258072.tif 000008
【図４Ｂ】
2011258072.tif 000009
【図４Ｃ】
2011258072.tif 000010